(57)【要約】      （修正有）【課題】  リール枠より人為的に繰り出した以上の剛性杆の繰り出しが行われることがなく、しかも、その中断操作を自動的に行える剛性杆用リールを提供する。【解決手段】  基台１に籠状体で成るリール枠４を枢軸２によって回動自在に枢支し、該リール枠４に巻回状に収容した剛性杆７を順次繰り出すようにする。そして、前記基台１に支持枠１４を取付け、該支持枠１４に、前記リール枠４の回動方向に並設した骨杆５，５間を出入する円筒状の制動片１９を、該制動片１９に緩く貫通させた支軸１８で組付ける。また、前記剛性杆７よりも強い弾性作用によって前記制動片１９の周面を押圧して前記骨杆５，５間に介在させる弾性片２０を前記支持枠１４に設ける。さらに、この支持枠１４の、前記リール枠４から前記剛性杆７を繰り出す方向の下流側の一側に、前記リール枠４の外部において前記制動片１９が前記骨杆５に押圧されて接する規制部片１４ｃを設ける。【選択図】  図１
2006306551.tif 000002
【特許請求の範囲】
【請求項１】
基台に籠状体で成るリール枠を枢軸によって回動自在に枢支し、該リール枠に前記支軸を取り囲むように巻回状に収容した剛性杆を、前記リール枠より順次繰り出すようにした剛性杆用リールにおいて、前記基台に支持枠を取付け、該支持枠に、前記リール枠の回動方向に並設した骨杆間を出入する円筒状の制動片を、該制動片に緩く貫通させた支軸で組付けると共に、前記剛性杆よりも強い弾性作用によって前記制動片の周面を押圧して前記骨杆間に介在させる弾性片を前記支持枠に設け、この支持枠の、前記リール枠から前記剛性杆を繰り出す方向の下流側の一側に、前記リール枠の外部において前記制動片が前記骨杆に押圧されて接する規制部片を設けた、剛性杆用リール。
【発明の詳細な説明】
【技術分野】
【０００１】
本発明は、例えば、ケーブル架線工事に用いる通線ロッド（剛性杆で構成する）を収容するために用いるリールに適用する剛性杆用リールに関するものである。
【背景技術】
【０００２】
基台に籠状体で成るリール枠を支軸によって回動自在に枢着し、該リール枠に前記支軸を取り囲むように巻回状に収容した剛性杆を前記リール枠より順次繰り出すようにした構造のものが知られている（例えば、特許文献１）。
【０００３】
【特許文献１】特開２００２−１７０１３号公報（第３頁、図６）
【発明の開示】
【発明が解決しようとする課題】
【０００４】
剛性杆は、巻回状にしたとき、いうまでもなく、剛性により原状すなわち直線状になろうとするが、従来の前記リールの場合は、剛性杆の先端を規制状態から解放してリール枠より引き出して放置すると、その剛性によりリール枠を回動させつつリール枠より自然に繰り出され、従って、その繰り出しを人為的に中断する必要があり、このため、例えば、ケーブル架線工事に際し、剛性杆用リールを設置し、高所等の離れた作業位置で作業者が通線ロッドとしての剛性杆を架空の架設設備内又は配線用管路内に押し込む際、剛性杆リール操作専従の別の作業者を配置し、リールを停止させる必要があった。
【０００５】
なお、剛性杆の剛性による自発的な繰り出しを防止する目的でリール中心回動軸又は剛性杆の取り出し箇所で接触摩擦による制動板を設置し連続的に回転抵抗を付加する場合が考えられるが、この場合は作業者の繰り出し及び巻き取り収納時のリール回転操作の負荷が増加し、作業の支障となる。
【０００６】
本発明は、リール枠より人為的に繰り出した以上の繰り出しが行われることがなく、しかも、その中断操作を自動的に行える剛性杆用リールを提供すべく創案したものである。
【課題を解決するための手段】
【０００７】
基台に籠状体で成るリール枠を枢軸によって回動自在に枢支し、該リール枠に前記支軸を取り囲むように巻回状に収容した剛性杆を、前記リール枠より順次繰り出すようにした剛性杆用リールにおいて、前記基台に支持枠を取付け、該支持枠に、前記リール枠の回動方向に並設した骨杆間を出入する円筒状の制動片を、該制動片に緩く貫通させた支軸で組付けると共に、前記剛性杆よりも強い弾性作用によって前記制動片の周面を押圧して前記骨杆間に介在させる弾性片を前記支持枠に設け、この支持枠の、前記リール枠から前記剛性杆を繰り出す方向の下流側の一側に、前記リール枠の外部において前記制動片が前記骨杆に押圧されて接する規制部片を設けた構成としたものである。
【発明の効果】
【０００８】
本発明によれば、剛性杆の剛性によるリール枠の回動は、基台に取付けた制動片がリール枠を構成する骨杆間に係合し、しかも、該制動片に剛性よりも強い弾性が作用して阻止され、その結果、リール枠からの剛性杆の繰り出しを規制することができる。そして、この状態で剛性杆を牽引して、その牽引力が弾性より強く働いたとき、制動片はそれに対応して骨杆間の出入を繰り返し、リール枠から剛性杆が繰り出され、外力の負荷を中断することにより、リール枠からの繰り出しを自動的に中止することができる。
【実施例】
【０００９】
図面は本発明に係る剛性杆用リールの一実施例を示し、図１は正面図、図２は図１の一部拡大図、図３は図２の平面図、図４は図２の側面図、図５は制動装置の斜視図である。
【００１０】
実施例の剛性杆用リールＡは、金属杆を互いに組付けて構成した基台１に片持ち梁状にして枢軸２を横設し、該枢軸２を中央の軸管３に貫通させるようにしてリール枠４を前記枢軸２に回動自在に枢支させて基台１に組付けて構成したものである。
【００１１】
リール枠４は、屈曲部を円曲させたややＬ字形の、複数本の骨杆５，…を等間隔を存して放射状に配し、該骨杆５，…を，該骨杆５の長杆部５ａの中間部と短杆部５ｂの自由端部および長杆部５ａと端杆部５ｂ間の屈曲杆部５ｃにそれぞれ円形の、第一乃至第三のリング杆６，６´，６´´を配してこれらを互いに熔接して組付けた籠体を、長杆部５ａの自由端部において前記軸管３に熔接して軸管３を中心とする正面視円形状の籠状態で構成し、軸管３部において基台１の枢軸２に前記の通り回動自在に枢支させたものである。
【００１２】
そして、リール枠４は、各短杆部５ｂ，…の自由端部を接続した第二リング杆６´で取り囲まれる円形の空隙部を剛性杆７の収容口８と成し、剛性杆７は該収容口８を通じて剛性を利用して前記枢軸２乃至軸杆３を取り囲むようにして巻回状に収容され、その収容状態は、末端がリール枠４に固定した支持筒９に嵌挿され、先端が該先端に設けたフック２２を適宜の骨杆５に係止することにより剛性機能を規制して確実に維持するようにしてある。
【００１３】
前記基台１は、二又に分岐した脚杆１ａ，１ａ´と該脚杆１ａ，１ａ´の接続部から上方に延設した把手杆１ｂおよび前記接続部から水平方向に延設した前記枢軸２とで成り、脚杆１ａ，１ａの前記枢軸２側の上部には制動装置Ｂを設けてある。
【００１４】
図示１０は制動装置Ｂの基枠で、基枠１０は、主体部片１０ａの基端部側に第一部片１０ｂと第二部片１０ｃを互いに反対方向に突設して構成し、主体部片１０ａの片面側に突設した前記第一部片１０ｂを前記脚杆１ａ，１ａ間にわたすようにして配し、この第一部片１０ｂと挟持片１１とで該脚杆１ａ，１ａを介在して取付ボルト１２とこれに螺合したナット１３によって締め付けて脚杆１ａに取付けたものである。
【００１５】
脚杆１ａから前記リール枠４方向に突出させた、基枠１０の主体部片１０ａの前記片面側には支持枠１４を、他の片面側にはＬ字形の調節枠１５を重ね合わせ、これらを前記主体部片１０ａに設けた長孔を通じた締付ねじ１７と支軸１８によって互いに接続してある。
【００１６】
支持枠１４は、方形状の基部片１４ａの、一方の相対する両端に支持部片１４ｂ，１４ｂを相対して、また、他の一方の相対する両端に規制部片１４ｃと部片１４ｄを相対してそれぞれ突設した方形枠体で構成し、前記支持部片１４ｂ，１４ｂと規制部片１４ｃとで区画される空間域には制動片１９を係合し、該制動片１９に緩く貫通させた前記支軸１８によって前記支持枠１４に回動自在に取付けてある。
【００１７】
制動片１９は円筒体（楕円状の筒体でも良い）を呈し、該制動片１９と支持枠１４の前記基部片１４ａ間に介在させた弾性片（ゴム又は樹脂を素材とする）２０の押圧によって内面が前記支軸１８に偏して、しかも、その軸線ａが前記規制部片１４ｃ（の先端部）に重なり合う位置に常時位置するように配され、リール枠４の骨杆５，５間に前記弾性片２０に相対する一端が出入するように部分的に係合してある。
【００１８】
なお、基枠１０の前記第二部片１０ｃと、締付ねじ１７と支軸１８とによって基枠１０の主体部片１０ａに組付けた調節枠１５の部片１５ａと、これに相対する基枠１０の前記第二部片１０ｃに調節ねじ２１をわたし、締付ねじ１７を緩めた状態で調節ねじ２１を操作して調節枠１５を進退させると、これに支軸１８などで組付けた支持枠１４は調節枠１５に伴って移動し、支持枠１４に搭載した制動片１９の骨杆５，５間の係合量が調節され、その状態時に締付ねじ１７を締付けることによってリール枠４は最も好適な状態で制動されるのである。
【００１９】
また、支持枠１４は、リール枠４から剛性杆７を繰り出す方向の上流側に係合部片１４ｄを、下流側に規制部片１４ｃが位置するようにして基台１（の脚杆１ａ）に取り付けてある。
【００２０】
そして、この支持枠１４の規制部片１４ｃ（の先端部）に弾性片２０の存在によって制動片１９の軸線が重なる位置に配せられるから、剛性杆７を牽引すると、剛性杆７は、弾性片２０の弾性に抗する骨杆５の制動片１９に対する押圧によってリール枠４から強制的に繰り出され、この強制繰り出し中、制動片１９は支軸１８によって移動の制約を受ける一方、規制部片１４ｃの存在によって、回動（揺動）が規制されることになる。
【００２１】
そして、牽引力の負荷（繰り出し操作）を停止すると、剛性杆７はその剛性により直線状になろうとして、リール枠４を回動させつつリール枠４より繰り出ようとするが、骨杆５，５間に存する制動片１９に骨杆５に当接して剛性杆７の剛性を規制、すなわち、制動片１９を押圧している弾性片２０の弾性が剛性杆７の剛性に勝ってその繰り出しが（剛性杆７による剛性による）規制され、規制部片１４ｃの存在による制動片１９の回動規制により尚一層確実に回動規制が行われる。
【００２２】
また、剛性杆７をリール枠４方向に押送すると、剛性杆７のリール枠４収容方向の下流側（繰り出し方向の上流側）には前記規制部片１４ｃに対応するものがないので（規制部片１４ｃは省略されているので）、制動片１９はリール枠４に収容される（繰り込まれる）剛性杆７部分の接触によって回動（揺動）し、弾性片２０の弾性力が低減された状態で剛性杆７は順次リール枠４内に収容される（繰り込まれる）から、前記の剛性杆７のリール枠４方向への押送操作は比較的軽い外力の負荷によって行うことができるのである。
【００２３】
しかして、剛性杆７がその剛性によってリール枠４から繰り出されようとしてリール枠４を回動させようとしても、リール枠４の骨杆５が制動片１９に接し、制動片１９は規制部片１４ｃの存在によって骨杆５，５間位置を保持するから、リール枠４の骨杆５を通じての、剛性杆７の剛性が弾性片２０よりも強い弾性作用が働かない限りリール枠４から剛性杆７は繰り出されることなく、剛性杆７の剛性のみによるリール枠４の繰り出し作業を確実に防ぐことができる。
【００２４】
また、剛性杆７を牽引すると、その牽引力は剛性に付加して、リール枠４すなわち骨杆５に作用するから、骨杆５は規制部片１４ｃで移動が規制される制動片１９を弾性片２０の付勢に抗する方向に押圧して該骨杆５，５間から後退することとなり、剛性杆７の繰り出し操作を行うことができ、牽引操作を中断すると弾性片２０の付勢によって制動片１９は骨杆５，５間を確実に維持することができるのである。
【００２５】
そして、リール枠４方向に剛性杆７を押送すると、該押送（圧）力によりリール枠４は回動しようとして、骨杆５の制動片１９との摩擦抵抗は繰り出し方向とは逆に規制部片１４ｃの規制のない方向に制動片１９に作用し、制動片１９は、弾性片２０の付勢に抗して骨杆５，５間から後退し、剛性杆７のリール枠４への収容操作が支障なく行うことができる。
【図面の簡単な説明】
【００２６】
【図１】正面図。
【図２】図１の一部拡大図。
【図３】図２の平面図。
【図４】図２の側面図。
【図５】制動装置の斜視図。
【符号の説明】
【００２７】
１      基台
２      枢軸
４      リール枠
５      骨杆
７      剛性杆
１４    支持枠
１８    支軸
１９    制動片
２０    弾性片
【図１】
2006306551.tif 000003
【図２】
2006306551.tif 000004
【図３】
2006306551.tif 000005
【図４】
2006306551.tif 000006
【図５】
2006306551.tif 000007